(57)【特許請求の範囲】
【請求項１】
同軸ケーブル（２２）であって、誘電体（２６）により取り巻かれた中央導体（２４）を有し、誘電体が導電性接地シース（２８）により取り巻かれ、該導電性接地シースが保護用外側ジャケット（３０）により取り巻かれた、同軸ケーブル（２２）の端部をねじ付きポートに接続するコネクタ（２０）において、
ａ．誘電体の周りで且つ導電性接地シースの下方にて同軸ケーブルの露出した端部内に挿入し得るようにされた第一の端部アダプタ（３４）を有する管状ポスト（３２）であって、第二の端部たる他端（３６）を有する管状ポスト（３２）と、
ｂ．該管状ポストの第二の端部に回転可能に係合する第一の端部（４０）と、ねじ付きポートと螺着可能に係合する雌ねじ付き穴（４４）が設けられた第二の端部たる他端（４２）とを有するナット（３８）と、
ｃ．第一の端部（４８）及び第二の端部（５０）を有する円筒形本体部材（４６）であって、該円筒形本体部材の第一の端部が、第一の所定の直径の外壁を有する円筒形スリーブ（５２）と、前記管状ポストの周りを延びる第一の中央穴（５８）との境を設定する内壁（５６）とを有する円筒形スリーブ（５２）を含み、内壁が、前記管状ポストの周りを延びる第一の中央穴（５８）との境を設定し、前記円筒形本体部材の第二の端部が、該第二の端部に近接する前記管状ポストに係合し、前記円筒形スリーブが、同軸ケーブルの外側ジャケットを受け入れる開放した後端部分（６０）を有し、該開放した後端部分が変形可能である、円筒形本体部材（４６）と、
ｄ．第一の端部（６６）及び第二の端部たる他端（６８）を有し、さらに、該第一の端部と第二の端部との間を貫通して延びる中央通路（７０）を有する圧縮リング（６４）であって、該圧縮リングの第一の端部が、前記円筒形本体部材の第一の端部の上を該圧縮リングの第一の端部が延びるのを許容し得るように前記円筒形スリーブの外壁の第一の所定の直径と釣り合った直径の第一の内側穴（７２）を有し、前記圧縮リングの中央通路が、第一の内側穴から延びて、第一の所定の直径と比較して縮小した直径まで狭小となる内方にテーパーが付けられた環状壁（７４）を有する、圧縮リング（６４）と、を備え、
ｅ．前記圧縮リングが円筒形本体部材の上を前記円筒形本体部材の第二の端部に向けて軸方向に進むとき、前記内方にテーパーが付けられた環状壁により前記円筒形スリーブの前記後端部分（６０）が前記管状ポストに向け且つ同軸ケーブルのジャケットに対して内方に変形するようにした、コネクタ。
【請求項２】
請求項１に記載のコネクタにおいて、前記円筒形本体部材の前記円筒形スリーブが前記圧縮リングがその上を軸方向に進むとき、前記円筒形スリーブが曲がるのを容易にし得るように形成された円形の逃がし部（６２）を有する、コネクタ。
【請求項３】
請求項１に記載のコネクタにおいて、前記管状ポストが外面を有し、該管状ポストの外面が、その第一の端部に近接してその周りに形成された円形の鉤状部分（７６）を有し、前記円筒形本体部材のスリーブが、前記円形の鉤状部分に近接する箇所まで軸方向に延び、これにより、前記圧縮リングの前進に起因してスリーブが管状ポストに向けて内方に変形する結果、ケーブルジャケットが、前記円筒形本体部材のスリーブの端部と前記管状ポストの上に形成された円形の鉤状部分との間にて挟持される、コネクタ。
【請求項４】
請求項１に記載のコネクタにおいて、前記圧縮リングが、前記円筒形本体の第一の端部の周りに取り付けられるが、同軸ケーブルの端部の上に取り付けられる前に、軸方向に完全には前進していない、コネクタ。
【請求項５】
請求項１に記載のコネクタにおいて、前記圧縮リングが、最初、前記円筒形本体部材のスリーブと一体であり且つ破断可能な接続部（１０２）により該スリーブと接続されており、前記圧縮リングが前記円筒形本体部材の第二の端部に向けて軸方向に前進することにより、前記圧縮リングと前記円筒形本体部材との間の破断可能な接続部が破断されるようにした、コネクタ。
【請求項６】
請求項１に記載のコネクタにおいて、前記円筒形本体部材が、全体としてその第一の端部と第二の端部との間の拡張径の肩部を有し、該拡張径の肩部（８８）が、前記円筒形スリーブの外壁の第一の所定の直径よりも大きい直径を有し、前記圧縮リングの第一の端部が、該圧縮リングが前記円筒形スリーブの上を軸方向に完全に進んだとき、前記拡張径の肩部と係合し且つ該拡張径の肩部により停止されるようにした、コネクタ。
【請求項７】
請求項１に記載のコネクタにおいて、圧縮リングが前記円筒形スリーブの上を軸方向に進むときの抵抗力を減少させ得るように前記円筒形スリーブの外壁に一連の溝（９０）が形成される、コネクタ。
【発明の詳細な説明】
【０００１】
【技術分野】
本発明は、全体として、主として同軸ケーブルをねじ付きポートに接続するためにケーブルテレビ業界で使用される、いわゆるＦコネクタ、より具体的には、軸方向圧縮工具を使用して取り付けられるＦコネクタに関する。
【０００２】
【背景技術】
ケーブルテレビ装置の引込線の端末接続のため同軸ケーブルのＦコネクタがしばしば使用される。同軸ケーブルは、典型的に、誘電体により取り巻かれた中央導体を有する一方、該誘電体は、導電性接地フォイル及び編組部分（以下に、導電性接地シースと称する）の双方又はその何れか一方により取り巻かれている。導電性接地シース自体は、保護用外側ジャケットによって取り巻かれている。Ｆコネクタは、ジャケット付きの同軸ケーブルの処理した端部の上に固着されて、同軸ケーブルの端部を端末ブロックのねじ付きポートと螺着可能に接続することを許容する。
【０００３】
圧着スリーブのコネクタ本体の一部として含まれる圧着型のＦコネクタが公知である。六角形を形成するジョー（顎部）を有する特殊な半径方向圧着工具は、かかる圧着型のＦコネクタを同軸ケーブルの処理した端部の上に固着すべく圧着スリーブを同軸ケーブルの外側ジャケットの周りに半径方向に圧着するために使用される。かかる圧着コネクタの例は、ギルバート・エンジニアリング・カンパニー・インコーポレーテッド（Ｇｉｌｂｅｒｔ  Ｅｎｇｉｎｉｅｅｒｉｎｇ  Ｃｏ．，Ｉｎｃ．）に譲渡された、ヘイワード（Ｈａｙｗａｒｄ）への米国特許第４，４００，０５０号、及びジョン・メッツアリングア・アソシエツ・インコーポレーテッド（Ｊｏｈｎ  Ｍｅｚｚａｌｉｎｇｕａ  Ａｓｓｏｃ．Ｉｎｃ．）に譲渡された、スツェグダ（Ｓｚｅｇｄａ）への米国特許第４，９９０，１０６号に開示されている。
【０００４】
当該技術分野において、同軸ケーブルジャケットと取り巻くＦコネクタとの間を水分が透過することは、腐食、接触抵抗の増加、信号強度の低下、コネクタからの過度のＲＦの漏洩の原因となる可能性があることは公知である。当業者は、かかる水分の侵入を防止するため、Ｆコネクタと同軸ケーブルのジャケットとの間にシールを形成するため色々な努力を試みている。漏洩防止シールを形成しようとして特殊な密封化合物を含むＦコネクタが、ケーブルテレビ業界にて公知である。例えば、エリオット（Ｅｌｌｉｏｔ）及びその他の者に付与され且つテレコミュニケーションズ・インコーポレーテッド（Ｔｅｌｅ−Ｃｏｍｍｕｎｉｃａｔｉｏｎｓ，Ｉｎｃ．）に譲渡された米国特許第４，７５５，１５２号には、同軸ケーブルのジャケットとＦコネクタの内部との間にシールを形成すべくコネクタのキャビティ内にゲル又はその他の可動の密封材料の塊を内蔵する圧着コネクタが開示されている。
【０００５】
Ｆコネクタをケーブルの処理した端部の上に固着するため、環状の圧縮スリーブが使用される、更に別の実施の形態のＦコネクタが公知である。圧着スリーブを同軸ケーブルのジャケットに向けて圧着せずに、これらのＦコネクタは、プラスチックの環状の圧縮スリーブを採用する。この圧縮スリーブは、最初は、Ｆコネクタに取り付けられているが、Ｆコネクタを取り付ける前に、取り外す。圧縮スリーブは、Ｆコネクタを取り付ける前に、かかる圧縮スリーブを同軸ケーブルの端部の上に通すのを許容し得るように内側穴を有している。次に、Ｆコネクタ自体を同軸ケーブルの処理した端部の上に挿入する。次に、コネクタの長手方向軸線に沿って圧縮スリーブを軸方向にコネクタ本体内に圧縮して圧縮スリーブとコネクタの管状ボスととの間にて同軸ケーブルのジャケットを同時に圧縮する。かかる圧縮スリーブＦコネクタの一例は、サムチセン（Ｓａｍｃｈｉｓｅｎ）に付与され且つＬＲＣ・エレクトロニクス・インコーポレーテッド（ＬＲＣ  Ｅｌｅｃｔｒｏｎｉｃｓ，Ｉｎｃ．）に譲渡された米国特許第４，８３４，６７５号に記載されている。かかる特許には、当該業界にて「スナップ・エヌ・シール（Ｓｎａｐ−ｎ−Ｓｅａｌ）」として公知の圧縮スリーブ型Ｆコネクタが開示されている。多数の業務用工具の製造メーカは、圧縮スリーブをかかるコネクタ内にて軸方向に圧縮するため圧縮工具を提供している。例えば、コネチカット州、チェスターのベン・ヒューズ・コミュニケーション・プロダクツ・カンパニー（Ｂｅｎ  Ｈｕｇｈｅｓ  Ｃｏｍｍｕｎｉｃａｔｉｏｎ  Ｐｒｏｄｕｃｔｓ  Ｃｏｍｐａｎｙ）のケーブルプレップ事業部は、「テルミンクス（Ｔｅｒｍｉｎｘ）」という商品名にてかかる手動の圧縮工具を販売している。
【０００６】
上述した「スナップ・エヌ・シール」圧縮コネクタは、取り付け作業員による相当な操作を必要とする。取り付け作業員は、環状の圧縮スリーブをコネクタから取り外し、圧縮スリーブを同軸ケーブルの端部の上にて摺動させ、次に、コネクタを取り付け、最後に、圧縮スリーブをコネクタ本体内に圧縮する。組み立て中、圧縮スリーブは、紛失し易い。更に、かかる「スナップ・エヌ・シール」コネクタは、従来の圧着型コネクタよりも著しくより高価である。
【０００７】
多少関係する、半径方向圧縮型のＦコネクタがスツェグダへの米国特許第５，４７０，２５７号に開示されている。管状の係止部材が外側カラーすなわちスリーブの開放した後端内に軸方向に突き出している。管状の係止部材は、管状のポストを同軸ケーブルの処理した端部内に挿入するのを受け入れる開き位置と、ケーブルの端部をＦコネクタ内に固定するクランプ止め位置との間にて外側カラー内で軸方向に変位可能である。管状の係止部材を軸方向に圧縮したとき、管状の係止部材と外側カラーとの間の接続部を密封すべくОリングが管状の係止部材の後端に取り付けられている。かかるコネクタは、従来、「ＣＭＰ」という名称で販売されている。管状の係止部材に設けられたＯリングは、露出されて、Ｆコネクタを軸方向に圧縮する前に保護されない状態となる。
【０００８】
同軸ケーブルコネクタ内のカラーすなわちスリーブは、同軸ケーブルの外面に対して内方に圧縮され、同軸ケーブルコネクタを固着し得るようにすることは、同軸ケーブルの業界にて一般に公知である。例えば、ギルバート・エンジニアリング・カンパニー・インコーポレーテッドに譲渡された、ヘイワードへの米国特許第４，５７５，２７４号には、本体部分がナット部分に螺着可能に係合する、信号伝送装置用のコネクタアセンブリが開示されている。このナット部分は、フェルールがその内部に配置された内側穴を有し、該フェルールは、同軸ケーブルの外側導体が通る内側穴を有している。ナットが本体部分の上に螺着するに伴い、フェルールは内方に押し込まれて、フェルールの内径を狭小にし、これにより、フェルールをケーブルの外面の周りで締め付ける。しかしながら、ヘイワードの米国特許第４，５７５，２７４号に記載されたコネクタは、従来のＦコネクタよりも遥かに高価であり、簡単な圧着又は圧縮工具を使用する等により迅速に取り付けることはできない。反対に、かかるコネクタの合わさるねじは、一対のレンチを使用する等して締め付けなければならない。
【０００９】
従って、本発明の１つの目的は、少数の部品から容易に機械加工することができると共に、軸方向圧縮取付け工具を使用して従来のＦコネクタを同軸ケーブルの処理した端部の上に容易に取り付けることのできる簡単で且つ経済的なＦコネクタを提供することである。
【００１０】
本発明の別の目的は、Ｆコネクタを同軸ケーブルの端部の上に固着するため取り付ける間、コネクタの部品を何らねじ式に回転動作することを必要としないかかるＦコネクタを提供することである。
【００１１】
本発明の更に別の目的は、ゲル又はその他の密封化合物を使用することを不要にしつつ、Ｆコネクタと該コネクタ内を延びる同軸ケーブルのジャケットとの間を水分が通るのを防止し得るようにＦコネクタと同軸ケーブルのジャケットとの間に確実な水分防止シールを形成するかかるコネクタを提供することである。
【００１２】
本発明の更なる目的は、Ｆコネクタを同軸ケーブルの端部の上に取り付けることを簡略化し且つ取り外し可能な部品を紛失することを防止し得るようにユーザに対し単一の構造体として出荷され、また、何らかの部品を取り外さずに、単一の構造体として同軸ケーブルの端部に取り付けられるかかるＦコネクタを提供することである。
【００１３】
本発明の更に別の目的は、コネクタとケーブルのジャケットとの間にシールを形成する目的のために任意のＯリングを組み立てることを必要としない、かかるＦコネクタを提供することである。
【００１４】
本発明の更に別の目的は、ケーブルジャケットを取り付け後、Ｆコネクタから外れるのをより困難にすることにより、Ｆコネクタ／同軸ケーブルアセンブリの引出し強度を増大させることである。
【００１５】
本発明の上記及びその他の目的は、本発明の説明が進むに伴って当業者により明らかになるであろう。
【００１６】
【発明の開示】
簡単に説明すると、本発明の好ましい実施の形態によれば、本発明は、同軸ケーブルの端部をねじ付きポートに接続する同軸ケーブルＦコネクタに関する。本発明のＦコネクタは、同軸ケーブルの露出した処理端部内に挿入し得るようにされた第一の端部を有する管状のポストを備えている。この管状のポストの第一の端部は同軸ケーブルの誘電体の周りを延びるが、導電性の接地シース及びそのジャケットの下方を通る。管状のポストは、第二の端部たる他端を有している。
【００１７】
本発明のＦコネクタは、管状のポストの第二の端部と回転可能に係合する第一の端部と、ねじ付きポートと螺着可能に係合する雌ねじ付き穴部が形成された第二の端部たる他端とを有するナットを更に備えている。このナットは、Ｆコネクタをねじ付きポートに固着する働きをする。
【００１８】
本発明のＦコネクタは、また、第一の端部及び第二の端部たる他端を有する円筒形の本体部材も備えている。該円筒形の本体部材の第一の端部は、外壁及び内壁を有する円筒形スリーブを備え、該内壁は、第一の中央穴と境を設定し、管状のポストを取り巻くと共に、同軸ケーブルの外側ジャケットを受け入れる。円筒形の本体部材の第二の端部は、その第二の端部付近にて管状のポストに係合する。円筒形のスリーブは、同軸ケーブルの処理した端部が挿入される開放した後端部分を有する。かかる円筒形スリーブの開放した後端部分は変形可能である。
【００１９】
最後に、本発明のＦコネクタは、その第一の端部と第二の端部たる他端との間を貫通して延びる中央通路を有する圧縮リングを備えている。該圧縮リングの第一の端部は、円筒形スリーブの外壁の直径と釣り合った直径の第一の内側穴を有し、その間にて摩擦嵌めを形成する一方、上記圧縮リングの第一の端部が円筒形の本体部材の第一の端部の上を延びるのを許容する。圧縮リングの第一の内側穴は、圧縮リングの中央通路の一部を形成し且つ中央通路の内径を更に縮小させる内方へテーパーを付けた環状壁に達している。圧縮リングを上記円筒形の本体部材の第二の端部に向けて円筒形の本体部材の上を軸方向に進めたとき、この内方にテーパーを付けた環状壁により円筒形スリーブの後端部分は、管状のポストに向けて且つケーブルジャケットに対して内方に変形する。
【００２０】
本発明の好ましい実施の形態において、円筒形のスリーブは、金属で出来ており、圧縮リングをその上で軸方向に進めたとき、円筒形スリーブの後端部分が曲がり易くするため、その後端部分に形成された円形の逃がし部すなわち弱体化領域を有する。更に、管状のポストは、その第一の端部付近にてその外面の周りを延びる円形の鉤状部分を有している。円筒形のスリーブの後端部分は、かかる円形の鉤状部分に近接する位置まで軸方向に延び、これにより、圧縮リングの前進に起因して円筒形スリーブの後端部分が管状のポストに向けて内方に変形する結果、ケーブルジャケットは、円筒形スリーブの端部と円形の鉤状部分との間の蛇行路に沿って挟持され、Ｆコネクタをケーブルジャケットに対して強固に締結する。
【００２１】
本発明のＦコネクタは、円筒形本体部材の第一の端部の一部分の上に圧縮リングが予め取り付けられた状態で供給されることが好ましい。しかしながら、最初に供給したとき、圧縮リングは、コネクタを同軸ケーブルの処理した端部の上に取り付けるのを許容し得るように円筒形本体部材の第一の端部の上で軸方向に完全には前進させていない。
【００２２】
本発明の１つの実施の形態において、圧縮リングは、円筒形の本体部材から別個の部品として製造される。本発明の１つの代替的な実施の形態において、圧縮リングは、最初、円筒形の本体部材の円筒形スリーブの開放した後端と一体であり且つ該後端に対し破断可能な接続部により接続されている。この代替的な実施の形態において、コネクタを同軸ケーブルの処理した端部の上に取り付けた後、コネクタを軸方向圧縮工具により圧縮し、圧縮リングが円筒形の本体部材の第二の端部に向けて軸方向に動くとき、圧縮リングと円筒形スリーブの開放した後端との間の破断可能な接続部が破断する。
【００２３】
本発明の好ましい形態において、Ｆコネクタの円筒形の本体部材は、全体として、第一の端部と第二の端部との間にある拡張径の肩部を有する。この拡張径の肩部は、円筒形スリーブの外径よりも大きい直径を有し、圧縮リングが過度に圧縮されるのを防止するストッパとして機能する。圧縮リングが軸方向圧縮工具により十分に軸方向に圧縮されたならば、圧縮リングの第一の端部は拡張径の肩部と係合し、該拡張径の肩部により停止される。所望であるならば、圧縮リングが円筒形スリーブの上を軸方向に進むのに伴い抵抗力を減少させ得るように円筒形スリーブの外壁に１つ以上の円形溝を形成することができる。
【００２４】
【発明を実施する最良の形態】
図１には、本発明の１つの好ましい実施の形態に従った構造とされたＦコネクタが全体として参照番号２０で断面図にて図示されている。Ｆコネクタ２０は、同軸ケーブルの端部をねじ付きポート（図示せず）に接続するために使用することができる。図２を簡単に参照すると、同軸ケーブル２２は、誘電層２６により取り巻かれた中央導体２４を有する一方、誘電層は、保護用外側ケーブルジャケット３０により覆われた導電性接地シース２８により取り巻かれている。
【００２５】
図１のＦコネクタ２０は、金属で出来ていることが好ましい管状ポスト３２を有し、該管状ポスト３２は、その誘電体２６の周りで且つ導電性接地シース２８の下方にて同軸ケーブル２２の露出した端部内に挿入し得るようにされた第一の端部３４を有している。管状ポスト３２はまた、第二の端部たる他端３６も有している。Ｆコネクタ２０はナット３８も有している。該ナット３８は、管状ポスト３２の第二の端部３６と回転可能に係合する第一の端部４０とねじ付きポート（図示せず）と螺着可能に係合する雌ねじ付き穴４４が形成された第二の端部たる他端４２とを有している。
【００２６】
Ｆコネクタ２０は、同様に、金属で出来ており、第一の端部４８及び第二の端部５０を有する円筒形本体部材４６を更に備えている。円筒形本体部材４６の第一の端部４８は、第一の所定の直径の外壁５４と、管状ポスト３２の周りを延びる第一の中央穴５８と境を設定する内壁５６とを有する円筒形スリーブ５２を備えている。円筒形本体部材４６の第二の端部５０は、その第一の端部４８よりも小径であり、その第二の端部３６付近にて管状ポスト３２と係合する。円筒形スリーブ５２は、同軸ケーブル２２の外側ジャケット３０を受け入れる開放した後端部分６０を有している。この後端部分６０は変形可能である。図１及び図２に図示するように、円筒形スリーブ５２は、かかる箇所にて円筒形スリーブ５２を曲げ易くするため、その周りに円形の溝を切り込む等により形成された円形の逃がし部すなわち弱体化領域６２を有している。
【００２７】
図１及び図２を更に参照すると、Ｆコネクタ２０は、第一の端部６６及び第二の端部たる他端６８を有する圧縮リング６４も備えている。圧縮リング６４もまた金属で出来ていることが好ましい。中央通路７０が第一の端部６６と第二の端部６８との間にて圧縮リング６４を貫通して延びている。圧縮リング６４の第一の端部６６と連通する第一の内側穴７２により中央通路７０の一部分が形成される。第一の内側穴７２は、円筒形スリーブ５２の外壁５４の外径と釣り合った直径を有し、圧縮リング６４の第一の端部６６は、円筒形の本体部材４６の第一の端部４８の上を延びるのを許容する。また、圧縮リング６４の中央通路７０は、第一の内側穴７２から延び且つ第一の内側穴７２の内径と比較して縮小した直径まで狭小となる、内方にテーパーを付けた環状壁７４も有している。この内方にテーパーを付けた環状壁７４により、円筒形スリーブ５２の後端部分６０は、圧縮リング６４をその第二の端部５０に向けて円筒形本体部材４６の上を軸方向に進めたとき、図２及び図３に図示するように、管状ポスト３２に向けて内方に且つケーブルジャケット３０に対して変形される。
【００２８】
Ｆコネクタ２０内でのケーブルジャケットの保持強度を最大にするため、管状ポスト３２は、その第一の端部３４付近にて周りに形成された円形の鉤状部分７６を有する。円筒形スリーブ５２は、最初、円形の鉤状部分７６に近接する箇所まで軸方向に延びている。Ｆコネクタ２０を軸方向に圧縮する間、圧縮リング６４、従って、テーパー付きの環状壁７４の前進に起因して円筒形スリーブ５２の後端部分６０が内方へ変形する結果、後端部分６０は、鉤部分７６の丁度後方にて平坦とされる。これにより、ケーブルジャケット３０は、ケーブル２２をＦコネクタ２０から外れるのに必要な引出し力を増し得るように蛇行路内で円筒形スリーブ５２の変形した後端６０と鉤状部分７６との間にて挟持される。
【００２９】
最初に、ユーザに納入されたとき、第一の実施の形態におけるＦコネクタ２０は、円筒形本体部材４６の第一の端部４８の上に取り付けられるが、図１に図示するように、完全に軸方向に前進してはいない。このことは、ケーブル技師がＦコネクタ２０をケーブル２２の処理した端部に取り付けることを可能にする。図４において、ピストルグリップ圧縮工具８０は、Ｆコネクタ２０を同軸ケーブル２２の処理した端部に固着するのに使用されるときの状態が図示されている。圧縮工具８０は、コネチカット州、チェスターのベン・ビューズ・コミュニケーション・プロダクツ・カンパニーのケーブルプレップ事業部から「テルミンクス」という商品名で商業的に入手可能な型式のものとすることができる。圧縮工具８０は、一対のレバー又はハンドル８１、８２と、コネクタ２０を圧縮する間に、コネクタ２０及びケーブル２２を所定の位置に解放可能に保持するばね負荷式のコネクタヨーク８５とを備えている。また、圧縮工具８０は、同軸ケーブル２２の裸の中央導体（２４）が妨害されずに、その内部を延びるのを許容する一方にて、Ｆコネクタ２０のナット３８内を延びるようにされた可動のラム８６も備えている。ユーザがハンドルグリップ８１、８２を共に握ったとき、可動のラム８６はコネクタヨーク８５に向けて付勢され、これにより、その間に拘束されたＦコネクタ２０の部品を共に圧縮する。
【００３０】
Ｆコネクタ２０の過度の圧縮を防止するため、円筒形の本体部材４６は、全体として、その第一の端部４８と第二の端部５０との間に配置された拡張径の肩部８８を有している。拡張径の肩部８８は、円筒形スリーブ５２の外壁５４の直径よりも大きい直径を有する。圧縮リング６４が円筒形スリーブ５２に沿って軸方向に前進するに伴い、圧縮リング６４が円筒形スリーブ５２の上を完全に軸方向に前進したとき、圧縮リング６４の第一の端部６６は、最終的に拡張径の肩部８８に係合し且つ該肩部により停止される。
【００３１】
圧縮リング６４の第一の内側穴７２は、摩擦嵌めにて円筒形スリーブ５２の外壁５４に係合する。かかる摩擦嵌めが過度に緊密であるならば、Ｆコネクタ２０を軸方向に圧縮することは困難である。この場合、図１に図示するように、圧縮リング６４と円筒形スリーブ５２との間の摩擦程度を減少させ得るように１つ以上の円形溝９０を外壁５４に形成することができる。
【００３２】
図５を参照すると、本発明の１つの代替的な実施の形態が図示されており、ここで、図１及び図２に関して上述したものと同様の部品は同様の参照番号で示してある。図５のＦコネクタ１００は、図１のＦコネクタ２０と同様であるが、圧縮リング６４は、最初、円筒形の本体部材４６の円筒形スリーブ５２と一体である点が相違する。この実施の形態において、円筒形スリーブ５２及び圧縮リング６４は、同時に同一の在庫材料から機械加工される。圧縮リング６４は、破断可能な接続部１０２により円筒形スリーブ５２の後端６０に接続される。Ｆコネクタ１００は、かかる破断可能な接続部が破断される前に、最終ユーザに出荷することができる。Ｆコネクタ１００は、上述したのと同一の方法にて同軸ケーブルの処理した端部に取り付けられる。ユーザがコネクタ１００を軸方向に圧縮し初めると、破断可能な接続部１０２が破断し、次に、圧縮リング６４は円筒形スリーブ５２から分離され、これと同時に、圧縮リング６４は、円筒形スリーブ５２の上を軸方向に進んで、上述したのと同一の方法にてその後端６０を変形させる。
【００３３】
当業者は、同軸ケーブルをねじ付きポートに接続する改良されたＦコネクタに関して説明したことが理解されよう。説明したコネクタは、簡単で且つ経済的な構造であり、少数の部品から容易に機械加工される。Ｆコネクタ２０は、従来のＦコネクタの軸方向圧縮挿入工具を使用して同軸ケーブルの処理した端部に迅速に取り付けることができる。円筒形スリーブ５２の変形可能な後端６０は、管状ポスト３２の鉤状部分７６と相俟って、何らＯリングを必要とせずに円筒形スリーブ５２とケーブルジャケット３０との間に水分防止シールを形成し、また比較的大きい機械的な保持強度を示す。圧縮リング６４は、既に円筒形スリーブ５２に取り付けた状態で納入されるため、取り付けは簡単となり、取り外し可能な部品を紛失する可能性はない。本発明はその好ましい実施の形態に関して説明したが、この説明は、単に説明の目的のためだけであり、本発明の範囲を限定するものと解釈されるべきではない。特許請求の範囲に記載した本発明の真の精神及び範囲から逸脱せずに、当業者は上述した実施の形態、色々な改変例及び変更を為すことが可能である。
【図面の簡単な説明】
【図１】  本発明による構造とされたＦコネクタ接続具の断面図である。
【図２】  同軸ケーブルの処理した端部の上に取り付けられ且つ軸方向圧縮工具により軸方向に圧縮された後の図１に図示したＦコネクタ接続具の断面図である。
【図３】  ケーブルジャケット及び管状ポストに対して変形させた後のＦコネクタの変形可能な部分の拡大図である。
【図４】  図１に図示したＦコネクタを軸方向に圧縮するために使用される軸方向圧縮工具の部分断面図である。
【図５】  圧縮リングが最初、Ｆコネクタの円筒形本体と一体である、図１に図示したＦコネクタの１つの代替的な実施の形態の断面図である。
【図１】
0004165731.tif 000002
【図２】
0004165731.tif 000003
【図３】
0004165731.tif 000004
【図４】
0004165731.tif 000005
【図５】
0004165731.tif 000006